(57)【要約】      （修正有）【課題】膝の屈伸を伴う行動の時や歩行時に若干困難を有する人に少ない手間で短時間に着脱を容易にしたズボンを提供する。【解決手段】ズボンの右足用部分と左足用部分の外側に上限高さを大腿最上部点より上とし、下限をズボンの裾までとしたファスナー１を左右各１箇所ずつ計２箇所と、内側に上限高さを膝と大腿部付け根の中間点とし、下限をズボンの裾までとしたファスナー２を左右各１箇所ずつ計２箇所、総計４箇所装着してズボンを構成する。【選択図】図１
0003162881.tif 000002
【実用新案登録請求の範囲】
【請求項１】
ズボンの右足用部分と左足用部分の外側に上限高さを大腿最上部点より上とし、下限をズボンの裾までとしたファスナー（１）を左右各１箇所ずつ計２箇所と、内側に上限高さを膝と大腿部付け根の中間点とし、下限をズボンの裾までとしたファスナー（２）を左右各１箇所ずつ計２箇所、総計４箇所装着したズボン。
【請求項２】
ズボンの右足用と左足用部分の外側に上限高さをウエスト部分（１１）の下端とし、下限をズボンの裾までとしたファスナー（５）を左右各１箇所ずつ計２箇所と、右足ズボン裾を起点とし、右足と左足用部分の内側一連に続き左足ズボン裾を終点とするファスナー（６）１箇所を用いてファスナー（５，６）が総計３箇所となり、外側（５）は布の部分が分離し、内側（６）は完全に開口可能となるズボン。
【請求項３】
ウエスト部分（１１）をゴム入りにし、加えてフック（１２）を２箇所設けた。そのことにより横幅方向（胴回り）の伸展性が１．５倍以上であることを特徴とする請求項２記載のズボン。
【考案の詳細な説明】
【技術分野】
【０００１】本考案はズボンに大きな開口部を設け、着脱を容易にしたズボンに関するものである。
【背景技術】
【０００２】従来品はズボンの右足用の内側に１箇所、左足用の内側に１箇所のファスナーを総計２箇所しかなく、しかもファスナーの上限の高さは膝までのため、開口部が小さい。
【先行技術文献】
【特許文献】
【特許文献１】
【０００３】実用新案登録第３１５１６９２号
特開平９−３０３５０６
特開平８−２２６００４
特開２００４−１６２２０２
【考案の概要】
【考案が解決しようとする課題】
【０００４】従来品のズボンで頭部より被るような形で装着できるものが無く、この欠点をウエスト部分の右側面と左側面の２箇所にゴム入りだけの部分を設けることにより問題を解決した。
【課題を解決するための手段】
【０００５】ズボンの右足用部分の内側に１箇所と外側に１箇所、左足用にも同様に計２箇所、ファスナーの総合計４箇所を装着したズボンである。
【考案の効果】
【０００６】ズボンの従来品は開口部がズボン両内側１箇所ずつのみで、高さのポイントが膝の高さまでである。それに対し本考案はズボン内側の開口部上限は膝と大腿部付け根との中間点とし、外側の上限は大腿最上部点より上の点とした。この方式により独力作業が一層簡便となる。これにより、ズボンの着脱時の労力軽減が図られた。
さらに外側のファスナー上下移動用魚型装飾補助金具を付加した。
そしてファスナーの部分を露出させないため、ズボンの外側の中央の縫い目より布地幅を１５ｍｍ延長してファスナー本体を覆い隠した。
【図面の簡単な説明】
【０００７】
【図１】本考案に係る請求項１のズボンの図
【図２】本考案に係る請求項１のズボンの外側のファスナー（１）と上下移動用魚型装飾補助金具（３）の図
【図３】本考案に係る魚型金具（３）の水平方向に取り付けた図
【図４】本考案に係るファスナー（１）の部分を覆い隠した図
【図５】本考案に係る請求項２のズボンの図
【図６】本考案に係る請求項３のウエスト部分の板状鍵フック（１３，１４）の取り付け図
【図７】本考案に係る板状鍵フック（１３，１４）の取り付け側面図
【図８】本考案に係る板状鍵フック掛け側（１３）の図
【図９】本考案に係る板状鍵フック受け側（１４）の図
【図１０】本考案に係る板状鍵フック（１３，１４）開放状態の図
【考案を実施するための形態】
【０００８】図１で示しているのはズボンの右足用部分の内側（２）に１箇所、外側（１）に１箇所、左足用内側（２）に１箇所、外側（１）に１箇所にファスナーを総計４箇所装着したズボンである。
イ）ズボン外側のファスナー（１）の上限高さは大腿最上部点より上の点とした。
ロ）ズボン内側のファスナー（２）の上限高さは膝と大腿部付け根との中間点とした。
ハ）イとロを併用する事により、従来品より大きな開口部が得られた。これにより、ズボンの着脱時の労力が軽減された。
ニ）ズボンの装飾性を高めるためにズボン外側のファスナー（１）にファスナー上下移動用魚型装飾補助金具（３）を付加した。以下の文には魚型金具と略す。
ホ）図２に魚型金具（３）の取付図を示した。
ヘ）図２に従来品のファスナー（１）の形状を示した。
ト）図３に魚型金具（３）の図面を示し、実際使用する時の形状を示した。
チ）図３は魚型金具（３）を水平方向に固定するための手段として、魚型金具（３）の裏側に凸型ホック（７）を装着し、ズボン表側に凹型ホック（８）を装着した。結果ホックを留める事で固定する。
リ）図３は装飾性を一層高めるため、魚眼に相当する部分に人工石（９）を装着した。
ヌ）ファスナー（１）の部分を覆い隠すため、ズボン外側にある中央の縫い目より布地幅を１５ｍｍ延長したものを図４に示した。
ル）ズボン内側のファスナー（２）は左右共従来品を使用する。
【０００９】図５で示しているのはズボンの右足用部分の外側（５）に１箇所、左足用部分の外側（５）に１箇所、右足と左足用部分の内側一連に続く事によりズボンの内側が完全に開口可能なファスナー（６）を１箇所の総計３箇所を装着したズボンである。
イ）ズボン右と左の外側のファスナー（５）の上限高さはウエスト部分（１１）の下端とする。
ロ）ズボンの右足と左足用部分の内側一連に続く事によりズボン内側が完全に開口可能なファスナー（６）とした。
ハ）イとロを併用する事により従来品よりズボン着脱時の労力軽減が図られた。特に坐位姿勢での着脱が容易になった。
ニ）ズボン右と左の外側のファスナー（５）の上下移動用魚型装飾補助金具（３）は請求項１に記載したものと同様の金具を使用する。
ホ）ズボン内側のファスナー（６）は従来品を使用する。
【００１０】図５の詳細に関してはウエスト部分（１１）をゴム入りにし、加えてフック（１２）を２箇所設けた。その事により横幅方向（胴回り）の伸展性が１．５倍以上増した。結果、立ったままの体位で頭部より被る様な形で装着でき、ウエスト部分（１１）が伸縮可能である事を特徴とする請求項２記載のズボンである。
イ）ウエスト部分（１１）はゴム入りとした。
ロ）ウエスト部分（１１）の右側面（１２）、左側面（１２）の２箇所に板状鍵フックを設置した。
ハ）図６に板状鍵フック（１３，１４）設置時の図を示した。
ニ）図７に板状鍵フック設置時側面図（１３，１４）を示した。
ホ）図８に板状鍵フックの掛け側（１３）の側面の形状を示す。
ヘ）図９に板状鍵フックの受け側（１４）の側面の形状を示す。
ト）図１０に板状鍵フック（１３，１４）開放とファスナー（５）開放状態の図を示した。右のファスナー（５）と左のファスナー（５）を同時に開放する事によりウエストのゴムが１．５倍以上伸展し、胴回りも同様の長さが得られる。それに加えて内側ファスナー（６）の開放状態を加えることにより立ったままの体位で頭部より被るような形で装着できる。
【符号の説明】
【００１１】１…請求項１の外側のファスナー
２…請求項１の内側のファスナー
３…ファスナー上下移動用の魚型装飾補助金具
４…ファスナー上下移動用補助金具（従来品）
５…請求項２の外側のファスナー
６…請求項２の内側のファスナー
７…凸型ホック
８…凹型ホック
９…人工石（魚眼部分）
１０…ズボンの外側の中央縫い目
１１…ウエストゴム入り部分
１２…板状鍵フック（１３，１４）
１３…板状鍵フック掛け側
１４…板状鍵フック受け側
【図１】
0003162881.tif 000003
【図２】
0003162881.tif 000004
【図３】
0003162881.tif 000005
【図４】
0003162881.tif 000006
【図５】
0003162881.tif 000007
【図６】
0003162881.tif 000008
【図７】
0003162881.tif 000009
【図８】
0003162881.tif 000010
【図９】
0003162881.tif 000011
【図１０】
0003162881.tif 000012
【手続補正書】
【提出日】平成22年6月16日(2010.6.16)
【手続補正１】
【補正対象書類名】実用新案登録請求の範囲
【補正対象項目名】請求項２
【補正方法】変更
【補正の内容】
【請求項２】
ズボンの右足用部分と左足用部分の外側に上限高さをウエスト部分（１１）の下端とし、下限をズボンの裾までとしたファスナー（５）を左右各１箇所ずつ計２箇所と、右足ズボン裾を起点とし、右足と左足用部分の内側一連に続き左足ズボン裾を終点とするファスナー（６）１箇所を用いてファスナー（５，６）が総計３箇所となり、ズボンの外側は布の部分が分離し、ズボンの内側は完全に開口可能となるズボン。
【手続補正２】
【補正対象書類名】実用新案登録請求の範囲
【補正対象項目名】請求項３
【補正方法】変更
【補正の内容】
【請求項３】
ウエスト部分（１１）をゴム入りにし、加えてフック（１２）を２箇所設けることにより横幅方向（胴回り）の伸展性が１．５倍以上であることを特徴とする請求項２記載のズボン。